(57)【要約】 【課題】  本発明は、吐出口側の高圧領域から通風路上流側の低圧領域への漏出を適正に維持することで、吐出圧力損失の抑制と内装配置される電子回路の冷却効果アップ両立の実現を目的とする。【解決手段】  本発明に成る遠心ファンは、蝸牛状ケーシング側壁の中心部位に、電動機と隣接する制御回路収納部が通風路の一部を形成する円筒状隔壁を有し、該円筒状隔壁の高さが、吐出口側での高圧領域で高く、これに連通する通風路上流側の低圧領域では低くなるように形成されている。【選択図】        図１
2005264789.tif 000002
【特許請求の範囲】
【請求項１】
蝸牛状ケーシングと、該ケーシングに内蔵される電動機と、該電動機を駆動するための制御回路を形成する回路基板と、前記電動機の回転子に一体保持される羽根車と、を備える遠心ファンにおいて、前記ケーシング側壁の中心部位に、電動機と隣接する制御回路収納部が、通風路の一部を形成する円筒状隔壁を有し、該円筒状隔壁の高さが、吐出口部位で高く、これに連通する部位で低く形成されていること、を特徴とする遠心ファン。
【請求項２】
前記ケーシングの吐出口部位を第１象限とし、少なくとも該第１象限内での前記円筒状隔壁が、これに連通する第２象限から第４象限領域での円筒状隔壁よりも高くなるように形成されていること、を特徴とする請求項１に記載の遠心ファン。
【請求項３】
前記第１象限の高い円筒状隔壁は、第２象限と第４象限に延長して最大２７０°の範囲に亘り形成されていること、を特徴とする請求項１に記載の遠心ファン。
【請求項４】
前記第１象限内での円筒状隔壁の高さを１としたとき、これに連通する低い方の高さが０．８以下であるように形成されていること、を特徴とする請求項２又は３に記載の遠心ファン。
【請求項５】
前記高い円筒状隔壁と、これに連通する低い円筒状隔壁とが、勾配のある段差をもって連通するように形成されていること、を特徴とする請求項２乃至４に記載の遠心ファン。
【請求項６】
前記高い円筒状隔壁と、これに連通する低い円筒状隔壁とが、角度９０°の段差をもって連通するように形成されていること、を特徴とする請求項２乃至４に記載の遠心ファン。
【発明の詳細な説明】
【技術分野】
【０００１】
本発明は、遠心ファン、内装される電子回路への冷却効果を高めると共に吐出圧力損失を抑制することの出来る遠心ファンに関する。
【背景技術】
【０００２】
【特許文献１】特開平９−２２８９９７号公報
【特許文献２】特開平７−０９１４００号公報
【０００３】
上述公知文献に見られるような従来周知の遠心ファンのケーシングについては、空気の流入する通風路上流側と吐出する通風路下流側とが連通することに起因する吐出空気の流れの乱れが生じ、これが騒音の派生や、吐出圧力の損失を招くため種々の改良が為されている。例えば特開平７−９１４００もその一例で、吐出口から外部へ吐出されるべき圧力の高い空気が、圧力の低い通風路最上流側へ流れ込まないようにする手段として、吐出口のノーズ近傍に補助吸い込み口を設ける構造の提案である。
【０００４】
その他、上述混流を抑制する手段として羽根車内周縁端に近接する隔壁を設けることもよく知られているものであるが、該構成を採用するとき問題になるのが、内装される電子回路の放熱をも制限してしまうことであった。図４は、電子回路収納部を形成する隔壁が、ケーシング通風路全域に亘って同じ高さで形成される従来周知の構成を示している。
【発明の開示】
【発明が解決しようとする課題】
【０００５】
解決すべき問題点は、ケーシング内部でケーシング側面の吸込口とケーシング外周面の吐出口が連通しているため、吐出口側の高圧領域から通風路上流側の低圧領域への漏出が避けられず、該漏出抑制手段として羽根車内周縁に近接する隔壁を設けているが、該隔壁が故に、該隔壁の内側に配置される電子回路の冷却効果を弱めるという障害を現出するようになっていた。
【課題を解決するための手段】
【０００６】
本発明に成る遠心ファンは、蝸牛状ケーシング側壁の中心部位の電動機と隣接する制御回路収納部が、通風路の一部を形成する円筒状隔壁を有し、該円筒状隔壁の高さが、吐出口側での高圧領域で高く、これに連通する通風路上流側の低圧領域で低く形成され、好ましくは、
【０００７】
前記ケーシングの吐出口部位を第１象限とし、少なくとも該第１象限内での前記円筒状隔壁が、これに連通する第２象限から第４象限領域での円筒状隔壁よりも高いように形成され、又は
【０００８】
前記第１象限の高い円筒状隔壁は、第２象限と第４象限に延長して最大２７０°の範囲に亘り形成され、又は、
【０００９】
前記吐出口側の高い円筒状隔壁の高さを１としたとき、これに連通する低い方の高さが０．８以下であるように形成され、又は
【００１０】
前記吐出口側の高い円筒状隔壁とこれに連通する低い円筒状隔壁とが、所定の角度の勾配を持つ段差もしくは角度９０°の段差をもって連通するように形成されている。
【発明の効果】
【００１１】
本発明に成る遠心ファンは、吐出口側の高圧領域から通風路上流側の低圧領域への漏出を適正に維持することで、漏出による吐出圧力損失を抑制すると共に、該隔壁の内側に配置される電子回路の冷却効果を高めている。
【発明を実施するための最良の形態】
【００１２】
以下図面によって本発明の実施例を説明する。
【実施例１】
【００１３】
図１は、本願発明の例の正面図で、ケーシングの通風路全域を３６０度とし、吐出口部位の第１象限から通風路上流の第４象限まで等分する時、少なくとも第１象限領域内での円筒状隔壁を高く、これに連通する第２象限から第４の領域での円筒状隔壁を相対的に低くするもので、該構成は、蝸牛状を成すケーシング内面通路の吐出口近傍を除く部位で隔壁の高さを低くすることで、隔壁内部へ安定した通気を行い隔壁内部に配置された電子回路の冷却を確実とすると共に、吐出口近傍の通風の乱れを抑制するものである。
【００１４】
図２は、図１の断面を示し、円筒状隔壁の高い部分とこれに連通する低い部分とが、所定の角度の勾配をもつ段差で連通する例を示している。
【実施例２】
【００１５】
また、図３は第２の実施例を示す断面図で、高い隔壁部分と低い隔壁部分との連通部を、図３に示す様に先端縁に対し９０度の直角段差としている。
【００１６】
上述実施例では、前者の隔壁の高さを１としたとき、後者の高さを０．８以下とすると、通風の安定化と内装された電子回路の冷却効果との両面で好ましいことが確認されている。
【００１７】
なお、上述し図示する実施例は、高い円筒状隔壁と低い円筒状隔壁との連通箇所を、第１象限と第４象限との境界部位としているが，これに限定されるものではないことは、上述実施形態に見る通りである。
【産業上の利用可能性】
【００１８】
本発明に成る遠心ファンは、静音化と共に高性能化に直結する電動機の駆動回路の冷却効果向上を両立することを可能とし、小型化・高性能化のニーズに広く応えられる。
【図面の簡単な説明】
【００１９】
【図１】本発明に成る遠心ファン用ケーシングの例を説明する正面略図である。
【図２】図１に係る第１の実施例を示す断面略図である。
【図３】図１に係る第２の実施例を示す断面略図である。。
【図４】従来技術に成る遠心ファン用ケーシングの例を説明する断面略図である。
【符号の説明】
【００２０】
１        ケーシング
１−１    吐出口
１−２    円筒状隔壁
１−２１  高い隔壁（従来技術での円筒状隔壁）
１−２２  低い隔壁
１−２３  ９０°の段差連通部
１−２４  時勾配をもつ段差連通部
１−３  制御回路収納部
【図１】
2005264789.tif 000003
【図２】
2005264789.tif 000004
【図３】
2005264789.tif 000005
【図４】
2005264789.tif 000006